(57)【要約】  特許請求の範囲の主題についての実施形態は、パケット交換デバイスについてのショート・メッセージ・サービス（ＳＭＳ）をサポートするための方法および装置を提供する。方法の一実施形態は、ユーザ機器から、パケット交換（ＰＳ）サービス、またはパケット交換（ＰＳ）サービスと回路交換（ＣＳ）サービスの組み合わせについての要求を提供するステップを含んでいる。その要求は、ユーザ機器が、ショート・メッセージ・サービス（ＳＭＳ）を要求しており、他のどのようなＣＳサービスも要求していないという表示を含む。方法のいくつかの実施形態はまた、ユーザ機器において、ＳＭＳサービスが、ＰＳドメインによってサポートされるかどうかを示す応答を受信するステップを含む。
2015518321.tif 000002
【特許請求の範囲】
【請求項１】
ユーザ機器から、パケット交換（ＰＳ）サービス、またはパケット交換（ＰＳ）サービスと回路交換（ＣＳ）サービスの組み合わせについての要求を与えるステップであって、前記要求は、前記ユーザ機器が、ショート・メッセージ・サービス（ＳＭＳ）を要求しており、他のＣＳサービスを要求していないという表示を含む、ステップと、
前記ユーザ機器において、前記ＳＭＳサービスが、ＰＳドメインによってサポートされるかどうかを示す応答を受信するステップと
を含む方法。
【請求項２】
パケット交換（ＰＳ）ネットワーク内のノードにおいて、ユーザ機器についてのＰＳサービス、またはＰＳサービスと回路交換（ＣＳ）サービスの組み合わせについての要求を受信するステップであって、前記要求は、前記ユーザ機器が、ショート・メッセージ・サービス（ＳＭＳ）を要求しており、他のどのようなＣＳサービスも要求していないという表示を含む、ステップと、
前記ノードから、前記ノードが、前記ＳＭＳサービスをサポートすることを示し、前記要求が、ＳＭＳだけのサービスについてのものであることを示す信号を送信するステップと、
前記信号を送信するステップに応じて前記ノードにおいて、前記ＳＭＳサービスが、ＰＳドメインによってサポートされるかどうかを示す応答を受信するステップと
を含む方法。
【請求項３】
前記要求を与えるステップは、アタッチ要求またはルーティング・エリア・アップデート要求のうちの少なくとも一方を与えるステップを含む、請求項２に記載の方法。
【請求項４】
前記信号を送信するステップは、ホーム・ロケーション・レジスタ（ＨＬＲ）／ホーム加入者サーバ（ＨＳＳ）に対して前記信号を送信するステップを含む、請求項２に記載の方法。
【請求項５】
前記応答を受信するステップは、前記ＨＬＲ／ＨＳＳが、前記ＰＳドメインにおいてＳＭＳサービスをサポートすることを示す応答を前記ＨＬＲ／ＨＳＳから受信するステップを含み、前記応答は、前記ＳＭＳサービスが、前記ＰＳドメインによってサポートされるという表示と、前記ユーザ機器に関連する加入情報とを含む、請求項４に記載の方法。
【請求項６】
前記ノードは、サービス提供側汎用パケット無線サービス（ＧＰＲＳ）サポート・ノード（ＳＧＳＮ）であり、前記ＳＭＳサービスが、前記ＰＳドメインによってサポートされるという前記表示を受信するステップは、前記ＨＬＲ／ＨＳＳが、非アクセス層（ＮＡＳ）信号送信を使用して前記ＳＧＳＮについての前記ＳＭＳサービスをサポートするという表示を受信するステップを含む、請求項５に記載の方法。
【請求項７】
ＣＳサービスについてのロケーション・アップデートの実行をバイパスするステップと、前記ＨＬＲ／ＨＳＳが、前記ＳＧＳＮについての前記ＳＭＳサービスをサポートするという前記表示を受信することに応じて前記ユーザ機器とのＣＳ接続の確立をバイパスするステップとを含む、請求項６に記載の方法。
【請求項８】
前記応答を受信するステップは、前記ＨＬＲ／ＨＳＳが、前記ＰＳドメインにおいて、ＳＭＳサービスをサポートしていないことを示す応答を前記ＨＬＲ／ＨＳＳから受信するステップを含む、請求項７に記載の方法。
【請求項９】
前記ノードは、サービス提供側汎用パケット無線サービス（ＧＰＲＳ）サポート・ノード（ＧＧＳＮ）であり、前記ＳＭＳサービスが、前記ＰＳドメインによってサポートされないという前記表示を受信するステップは、前記ＨＬＲ／ＨＳＳが、非アクセス層（ＮＡＳ）信号送信を使用して前記ＳＧＳＮについての前記ＳＭＳサービスをサポートしておらず、または前記ユーザ機器についての加入情報が、前記ＨＬＲ／ＨＳＳにおいて使用できないという表示を受信するステップを含む、請求項８に記載の方法。
【請求項１０】
ＣＳサービスについてのロケーション・アップデートを実行するステップと、前記ＨＬＲ／ＨＳＳが、前記ＳＧＳＮについての前記ＳＭＳサービスをサポートしていないという前記表示を受信することに応じて前記ユーザ機器とのＣＳ接続を確立するステップとを含む、請求項９に記載の方法。
【発明の詳細な説明】
【技術分野】
【０００１】
関連出願の相互参照
本出願は、全体が参照により本明細書に組み込まれている、２０１２年４月４日に出願された米国仮特許出願第６１／６２０，１６１号の優先権を主張するものである。
【０００２】
本出願は、一般に、通信システムに関し、より詳細には、ワイヤレス通信システムに関する。
【背景技術】
【０００３】
ショート・メッセージ・サービス（ＳＭＳ：ｓｈｏｒｔ  ｍｅｓｓａｇｅ  ｓｅｒｖｉｃｅ）のメッセージは、もともとは、回路交換（ＣＳ：ｃｉｒｃｕｉｔ−ｓｗｉｔｃｈｅｄ）電話システムによって送信されるように設計された。ＳＭＳサービスは、非常に人気のあるサービスであり、また後続世代のモバイル通信規格によって採用されている。例えば、第２世代（２Ｇ）規格または第３世代（３Ｇ）規格に従って動作するモバイル交換センタ（ＭＳＣ：ｍｏｂｉｌｅ  ｓｗｉｔｃｈｉｎｇ  ｃｅｎｔｅｒｓ）は、例えば、ＭＳＣによって実施されるＧＳＭの規格またはプロトコルを使用して、ＣＳ接続によるＳＭＳメッセージングをサポートする。従来のＳＭＳサービスはまた、非アクセス層（ＮＡＳ：Ｎｏｎ−Ａｃｃｅｓｓ  Ｓｔｒａｔｕｍ）信号送信を使用したパケット交換（ＰＳ：ｐａｃｋｅｔ  ｓｗｉｔｈｃｅｄ）システムによって提供される場合もある。例えば、汎用パケット無線サービス（ＧＰＲＳ：Ｇｅｎｅｒａｌ  Ｐａｃｋｅｔ  Ｒａｄｉｏ  Ｓｅｒｖｉｃｅ）ワイヤレス通信規格は、例えば、汎用パケット無線サービス（ＧＰＲＳ）の規格またはプロトコルに従って動作するネットワーク要素を使用した、ＮＡＳによるパケット交換（ＰＳ）サービスを使用して、ＳＭＳメッセージングをサポートする。２Ｇ／３Ｇ通信システムは、ＣＳ接続によるＳＭＳメッセージングをサポートすることができるＭＳＣと、ＰＳ接続によってＳＭＳメッセージングをサポートすることができるサービス提供側ＧＰＲＳサポート・ノード（ＳＧＳＮ：ｓｅｒｖｉｎｇ  ＧＰＲＳ  ｓｕｐｐｏｒｔ  ｎｏｄｅｓ）との両方を含むことができる。
【０００４】
ユーザ機器は、ＣＳネットワーク、ＰＳネットワーク、またはそれらの両方にアタッチするように構成されている可能性がある。例えば、２Ｇ／３Ｇシステム内のＧＰＲＳハンドセットは、モードＡまたはモードＢにおいて動作するときに、ＣＳネットワークとＰＳネットワークとの両方にアタッチすることができ、またＧＰＲＳハンドセットが、モードＣにおいて動作しているときに、ハンドセットを、一回につきＣＳネットワークまたはＰＳネットワークのいずれか一方だけに排他的にアタッチすることができる。モードＡまたはモードＢで動作するユーザ機器は、ＰＳネットワークを経由したＰＳサービス、またはＰＳネットワークと、ＣＳネットワークとの両方を伴う、ＰＳ／ＣＳ通信を組み合わせたセッションのいずれかについて登録することができる。ユーザ機器のいくつかの実施形態は、それゆえに、ＣＳサービスと、ＰＳサービスとの両方を要求することができ、この場合には、ネットワーク・リソースは、ＣＳドメインと、ＰＳドメインとの両方において割り付けられ、またＳＭＳメッセージングは、いずれかのドメインを通して、提供される可能性がある。
【０００５】
ユーザ機器はまた、マシン・タイプ通信（ＭＴＣ：ｍａｃｈｉｎｅ  ｔｙｐｅ  ｃｏｍｍｕｎｉｃａｔｉｏｎ）デバイスを含む場合もある。ＭＴＣデバイスは、マシン・タイプ通信のために装備されるユーザ機器として３ＧＰＰ  ＴＳ  ２２．３６８によって規定される。ＭＴＣデバイスは、ＭＴＣアプリケーションがインストールされたワイヤレス通信デバイス（例えば、スマートフォン、ラップトップ、またはタブレット）とすることができ、あるいはＭＴＣデバイスは、あるＭＴＣに特有であり、水道メータや健康監視デバイスなどのＭＴＣサーバとワイヤレス通信するデバイスとすることができる。マシン・タイプ通信は、必ずしも人間同士の対話を必要とするとは限らない１つまたは複数のエンティティを伴うデータ通信の形態である。マシン・タイプ通信のために最適化されるサービスは、人間対人間の通信のために最適化されるサービスとは異なる。例えば、マシン・タイプ通信が、異なるマーケット・シナリオと、データ通信と、より低コストおよび努力と、場合によっては非常に多数の通信端末と、かなりの程度までの端末当たりの比較的低いトラフィックとを伴うこともあるので、マシン・タイプ通信は、現在のモバイル・ネットワーク通信サービスとは異なる。ＭＴＣデバイスは、ＳＭＳサービスを使用することができる。例えば、ＭＴＣサーバは、ＳＭＳメッセージを使用して１つまたは複数のＭＴＣデバイスに対してトリガを送信することができる。それらのトリガは、ＭＴＣデバイスが、データ収集を開始しなければならないことを信号で伝えるものである。ＭＴＣデバイスはまた、例えば、ネットワークに対するＰＳ接続を使用して、ＭＴＣサーバに対して収集したデータを返信することもできる。
【先行技術文献】
【非特許文献】
【０００６】
【非特許文献１】３ＧＰＰ  ＴＳ  ２２．３６８
【発明の概要】
【発明が解決しようとする課題】
【０００７】
以下は、開示された主題のいくつかの態様についての基本的な理解を提供するために開示された主題の簡略化された概要を提示するものである。この概要は、開示された主題を網羅する概説ではない。開示された主題の重要な要素または不可欠な要素を明らかにすること、または開示された主題の範囲を示すことを意図してはいない。その唯一の目的は、後で考察される、より詳細な説明に対する前置きとして簡略化された形態でいくつかの概念を提示することである。
【０００８】
本明細書において考察されるように、ユーザ機器は、ＰＳサービスおよびＣＳサービス、またはＰＳだけのサービスを使用して、ネットワークに接続することができる。例えば、ユーザ機器は、ＰＳドメインまたはＣＳドメインのいずれかにおいて提供され得るＰＳサービスとＳＭＳサービスとを要求することができる。ユーザ機器は、ＰＳドメインにおいてＳＧＳＮに対する接続を経由してＰＳサービスを受信することができることもあり、またユーザ機器は、ＰＳドメインにおけるＳＧＳＮに対する接続、あるいはＣＳドメインにおけるモバイル交換センタ（ＭＳＣ）またはビジター・ロケーション・レジスタ（ＶＬＲ：ｖｉｓｉｔｏｒ  ｌｏｃａｔｉｏｎ  ｒｅｇｉｓｔｅｒ）に対する別個の接続のいずれかを使用して、ＳＭＳサービスを受信することができる。ＣＳドメインにおいてＳＭＳサービスを提供することは、ＰＳサービスのために使用されるＰＳ接続に加えて、ＣＳ接続を確立することを必要とする。それゆえに、ユーザ機器は、ＰＳドメインからＰＳサービスとＳＭＳサービスとの両方を受信することにより、エア・インターフェース・リソースを節約することができる。しかしながら、必ずしもすべての展開されたＳＧＳＮまたはネットワークは、例えば、ＮＡＳを使用して、ＰＳドメインを経由したＳＭＳをサポートするとは限らない。
【０００９】
ＰＳドメインのＮＡＳを経由したＳＭＳサービスのサポートは、ネットワーク展開オプションであり、またローミング契約に依存する可能性があるので、ＰＳだけに加えてＳＭＳの加入は、万一ＰＳドメインのＮＡＳを経由したＳＭＳがサポートされない場合に、ＳＭＳサービスが、ＣＳドメインを経由して提供されることを可能にするはずである。この場合には、ユーザ機器は、ＳＭＳサービスをサポートするＣＳサービスを要求しているだけであり、またユーザ機器は、他のどのようなＣＳサービスも登録することを意図してはいないことをネットワークに通知することができるようにしなければならない。このタイプの登録は、一般的に、「ＳＭＳだけの」サービスについての要求と称され、これは、ＰＳドメインのＮＡＳやＣＳ信号送信チャネルなどの信号送信チャネルだけを使用して提供される可能性がある。多くの場合には、ＳＭＳだけのサービスは、ＰＳドメインまたはＣＳドメインのいずれかによって提供される可能性がある。ネットワークは、登録中に、ネットワークがＰＳドメインのＮＡＳを経由してＳＭＳをサポートするかどうかと、ＳＭＳサービスがＳＧＳＮによって提供されるか否かをユーザ機器に通知することもできるようにしなければならない。ＳＭＳサービスが、ＳＧＳＮによって提供される場合、ＣＳドメインにおける登録を行う必要がない。ユーザ機器が、ＳＭＳだけのサービスを要求しており、ネットワークが、ＰＳ接続を使用してＳＭＳだけのサービスを提供することができる場合に、ユーザ機器についてのＣＳ接続を確立することは、価値のあるネットワーク・リソースを浪費する可能性がある。
【００１０】
開示された主題は、上記で説明される１つまたは複数の問題の影響に対処することに関する。
【課題を解決するための手段】
【００１１】
一実施形態においては、パケット交換デバイスのためのショート・メッセージ・サービス（ＳＭＳ）をサポートするための方法が提供される。本方法の一実施形態は、ユーザ機器から、パケット交換（ＰＳ）サービス、またはＰＳサービスと回路交換（ＣＳ）サービスの組み合わせについての要求を与えるステップを含んでいる。要求は、ユーザ機器が、ショート・メッセージ・サービス（ＳＭＳ）を要求しており、また他のどのようなＣＳサービスも要求していないという表示を含んでいる。方法のいくつかの実施形態はまた、ユーザ機器において、ＳＭＳサービスが、ＰＳドメインによってサポートされ、提供されるかどうかを示す応答を受信するステップを含んでいる。本方法の実施形態を実施するユーザ機器の実施形態もまた、提供される。
【００１２】
別の実施形態においては、パケット交換デバイスのためのショート・メッセージ・サービス（ＳＭＳ）をサポートするための方法が提供される。方法の一実施形態は、パケット交換（ＰＳ）ネットワーク内のノードにおいて、ユーザ機器についてのＰＳサービス、またはＰＳサービスと回路交換（ＣＳ）サービスの組み合わせについての要求を受信するステップを含んでいる。その要求は、ユーザ機器が、ショート・メッセージ・サービス（ＳＭＳ）を要求しており、他のどのようなＣＳサービスも要求していないという表示を含んでいる。本方法のいくつかの実施形態はまた、ノードから、ノードがＳＭＳサービスをサポートすることを示し、要求がＳＭＳだけのサービスについてのものであることを示す信号を送信するステップを含んでいる。本方法のいくつかの実施形態は、信号送信に応じてノードにおいて、ＳＭＳサービスがＰＳドメインによってサポートされるかどうかを示す応答を受信するステップをさらに含んでいる。本方法の実施形態を実施するノードの実施形態もまた、提供される。
【００１３】
開示された主題は、添付図面と併せて解釈される以下の説明を参照して理解される可能性があり、図面の中で、同様な参照番号は、同様な要素を識別している。
【図面の簡単な説明】
【００１４】
【図１】ワイヤレス通信システムの例示の一実施形態を概念的に示す図である。
【図２】ＳＭＳだけのメッセージングの方法の第１の例示の実施形態を概念的に示す図である。
【図３】ＳＭＳだけのメッセージングの方法の第２の例示の実施形態を概念的に示す図である。
【図４】ＳＭＳだけのメッセージングの方法の第３の例示の実施形態を概念的に示す図である。
【図５】ＰＳサービスと、ＣＳサービスとについての組み合わされた要求をサポートしないシステムにおいて、ＳＭＳだけの要求を処理する方法の例示の一実施形態を概念的に示す図である。
【発明を実施するための形態】
【００１５】
開示された主題は、様々な修正形態と、代替的な形態とを受け入れる余地があるが、その特定の実施形態が、図面において例として示されており、また本明細書において詳細に説明される。しかしながら、特定の実施形態についての本明細書における説明は、本開示された主題を開示される特定の形態だけに限定することを意図してはおらず、しかし逆に、その意図は、添付された特許請求の範囲についての範囲内に含まれるすべての修正形態、同等形態、および代替形態を対象として含むことであることを理解すべきである。
【００１６】
実例となる実施形態が、以下で説明される。明確にするために、実際の実装形態についての必ずしもすべての特徴が、本明細書において説明されるものとは限らない。そのような任意の実際の実施形態の開発においては、非常に多くの実装形態特有の決定が行われて、システムに関連した制約条件と、ビジネスに関連した制約条件との準拠など、開発者の特定の目標を達成すべきであり、これらの制約条件は、実装形態ごとに変化することになることが、もちろん理解されるであろう。さらに、そのような開発努力は、複雑であり、また時間がかかる可能性があるが、それにもかかわらず本開示の恩恵を受ける当業者のためにはルーチン的な仕事になることが、理解されるであろう。本説明および図面は、単に、特許請求の範囲の主題について例証しているにすぎない。したがって、当業者なら、本明細書において明示的に説明されても、または示されてもいないが、本明細書において説明される原理を実施し、また特許請求の範囲の主題についての範囲内に含まれ得る様々な構成を工夫することができることが、理解されるべきである。さらに、本明細書において列挙されるすべての例は、当技術分野を推進するように本発明者（単数または複数）によって寄与される特許請求の範囲の主題の原理とそれらの概念とを理解する際に、読者を支援する教育上の目的のためであることを主として意図しており、またそのような具体的に列挙された例および状態だけに限定されることのないように解釈されるべきである。
【００１７】
開示された主題は、添付された図面を参照して説明される。様々な構造、システムおよびデバイスが、説明の目的のためだけに、また当業者によく知られている詳細で本説明をあいまいにすることのないようにするために、図面の中では概略的に示される。それにもかかわらず、添付された図面は、開示された主題の実例となる例について記述し、また説明するために含められる。本明細書において使用される単語および熟語は、当業者によるこれらの単語および熟語の理解と整合した意味を持つように理解され、また解釈されるべきである。用語または熟語の特別な定義は、すなわち、当業者によって理解されるような通常の、または慣習となっている意味と異なる定義は、本明細書においては、用語または熟語の整合した使用によって暗に意味されることを意図してはいない。用語または熟語が、特別な意味を、すなわち、当業者によって理解される意味以外の意味を有することが意図されている限りでは、そのような特別な定義は、その用語または熟語について特別の定義を直接に、またはっきりと提供する定義の方法で、本明細書において明示的に説明されている。さらに、本明細書において使用されるような用語「または（ｏｒ）」は、それ以外の方法（例えば、「またはそれ以外（ｏｒ  ｅｌｓｅ）」または「または代替案において（ｏｒ  ｉｎ  ｔｈｅ  ａｌｔｅｒｎａｔｉｖｅ）」）で示されていない限り、非排他的な「論理和（ｏｒ）」のことを意味している。また、本明細書において説明される様々な実施形態は、いくつかの実施形態が、１つまたは複数の他の実施形態と組み合わされて、新しい実施形態を形成することができるように、必ずしも相互に排他的であるものとは限らない。
【００１８】
図１は、ワイヤレス通信システム１００の例示の一実施形態を概念的に示すものである。例証された実施形態においては、ワイヤレス通信システム１００は、エア・インターフェース１１５によってユーザ機器１１０に対してワイヤレス接続を提供するために使用され得る１つまたは複数の基地局１０５を含んでいる。本明細書において使用されるように、用語「基地局」は、無線アクセス・ネットワーク、基地局ルータ、アクセス・ポイント、マクロセル、マイクロセル、フェムトセル、ピコセルなどを含めて、ワイヤレス接続を提供するためのデバイスを包含するように理解される。ユーザ機器１１０は、スマートフォン、セルラー方式電話、タブレット・コンピュータ、ラップトップ・コンピュータまたはノートブック・コンピュータ、ネットワーク・インターフェース・カード、デスクトップ・コンピュータなどのデバイスを含むことができる。ユーザ機器１１０のいくつかの実施形態はまた、マシン・タイプ通信（ＭＴＣ）の規格またはプロトコルを利用するデバイスを含むこともできる。
【００１９】
図１に示されるワイヤレス通信システム１００の実施形態は、ネットワーク交換サブシステム（ＮＳＳ：ｎｅｔｗｏｒｋ  ｓｗｉｔｃｈｉｎｇ  ｓｕｂｓｙｓｔｅｍ）、またはＧＳＭコア・ネットワークを含むことができ、これらは、基地局１０５を含む基地局のネットワークによってローミングするユーザ機器１１０についてのコール交換機能と、モビリティ管理機能とを実行するワイヤレス通信システム１００の一部分である。ＮＳＳは、一般的に、モバイル電話オペレータによって所有され、また展開され、またユーザ機器１１０が、公衆交換電話網（ＰＳＴＮ：ｐｕｂｌｉｃ  ｓｗｉｔｈｃｅｄ  ｔｅｌｅｐｈｏｎｅ  ｎｅｔｗｏｒｋ）や公衆陸上モバイル・ネットワーク（ＰＬＭＮ：ｐｕｂｌｉｃ  ｌａｎｄ  ｍｏｂｉｌｅ  ｎｅｔｗｏｒｋ）などのネットワーク１２０を経由して、互いに、またエンティティと通信することを可能にする。ユーザ機器１１０は、必ずしも１つのロケーションにおいて固定されることもあるとは限らないので、ワイヤレス通信システムの実施形態は、それゆえにモビリティをサポートする機能およびファンクションを実施することができる。ＮＳＳは、音声コール、ＳＭＳ、ＣＳデータ・コールなどのサービスのために使用され得る回路交換（ＣＳ）コア・ネットワークを含むことができる。ＮＳＳのいくつかの実施形態は、パケット交換（ＰＳ）データ・サービスを提供するオーバーレイするエンティティによって拡張される可能性がある。
【００２０】
ワイヤレス通信システム１００の一部分は、汎用パケット無線サービス（ＧＰＲＳ）の規格またはプロトコルに従って動作することができる。ＧＰＲＳ規格は、一般的に、表記法「Ｇ＿」を使用して称されるいくつかのインターフェースを規定しており、またその下線部は、識別文字で満たされる。これらのインターフェースの定義は、当技術分野において知られており、また明確にするために、特許請求の範囲の主題に関連のあるこれらのインターフェースについてのこれらの態様だけが、本明細書において考察される。ワイヤレス通信システム１００の実施形態は、それゆえに１つまたは複数のサービス提供側ＧＰＲＳサポート・ノード（ＳＧＳＮ）１２５を実施することができる。ＳＧＳＮ  １２５は、ＳＧＳＮ  １２５に関連する地理的サービス・エリアの内部で、ユーザ機器１１０に対する、またユーザ機器１１０からのデータ・パケットの配信についての役割を担っている。例えば、ＳＧＳＮ  １２５は、フレーム・リレーまたはＩＰプロトコルを使用してＧｂインターフェースによって基地局１０５と通信することができる。ＳＧＳＮ  １２５によって実行され得るタスクは、パケットのルーティングおよび転送の機能と、モビリティ管理（アタッチ／切り離しおよびロケーションの管理）機能と、論理リンク管理機能と、認証および課金の機能とを含むことができる。ワイヤレス通信システム１００のいくつかの実施形態は、ＧＰＲＳトンネリング・プロトコル（ＧＴＰ：ＧＰＲＳ  Ｔｕｎｎｅｌｉｎｇ  Ｐｒｏｔｏｃｏｌ）をサポートすることができ、このＧＰＲＳトンネリング・プロトコルは、エンド・ユーザが、まるで１つのロケーションからのように、例えば、ゲートウェイＧＰＲＳサポート・ノード（ＧＧＳＮ：Ｇａｔｅｗａｙ  ＧＰＲＳ  ｓｕｐｐｏｒｔ  ｎｏｄｅ、図１に示されていない）において、インターネットに接続し続けながら、あちこちに移動することを可能にするインターネット・プロトコル（ＩＰ：Ｉｎｔｅｒｎｅｔ  ｐｒｏｔｏｃｏｌ）ベースのプロトコルである。ＧＴＰプロトコルを使用して、ＳＧＳＮ  １２５からセッションを処理しているＧＧＳＮへとユーザ機器１１０に関連するデータを搬送することができる。
【００２１】
ワイヤレス通信システム１００は、ＳＧＳＮ  １２５に通信するように結合されるホーム・ロケーション・レジスタ（ＨＬＲ：ｈｏｍｅ  ｌｏｃａｔｉｏｎ  ｒｅｇｉｓｔｅｒ）／ホーム加入者サーバ（ＨＳＳ：ｈｏｍｅ  ｓｕｂｓｃｒｉｂｅｒ  ｓｅｒｖｅｒ）１３０を含んでいる。例えば、ＨＬＲ／ＨＳＳ  １３０と、ＳＧＳＮ  １２５とは、ＭＡＰ３プロトコルを使用してＧｒインターフェースによって通信することができる。ＨＬＲ／ＨＳＳ  １３０は、ネットワークを使用することが認可された各モバイル電話加入者（例えば、ユーザ機器１１０）についての詳細を含む中央データベースである。ＨＬＲ／ＨＳＳ  １３０のいくつかの実施形態は、それゆえに、ユーザ機器１１０に関連する情報を記憶するための１つまたは複数のユーザ・プロファイル１３５を含むデータベースを含むことができる。例えば、ＨＬＲ／ＨＳＳ  １３０は、モバイル電話オペレータによって発行されるＳＩＭカードについての詳細を記憶するためのユーザ・プロファイル１３５を含むことができる。各ＳＩＭは、各ＨＬＲ／ＨＳＳレコードに対する一次キーである、ＩＭＳＩと呼ばれる固有の識別子を有する。ユーザ機器１１０のいくつかの実施形態は、ＳＩＭカード（図１に示されず）を実施することができる。ユーザ・プロファイル１３５を使用して、ＭＳＩＳＤＮを記憶することもでき、このＭＳＩＳＤＮは、コールを行い、またコールを受信するためにユーザ機器１１０によって使用される電話番号である。例えば、主要なＭＳＩＳＤＮは、ＳＭＳメッセージを送信し、受信するためと同様に、音声コールを行い、また受信するために、使用されることもある。各ＭＳＩＳＤＮは、対応するユーザ・プロファイル１３５に対する一次キーとすることもできる。ユーザ・プロファイル１３５は、加入者がモバイル電話オペレータとともに留まっている限り、ＨＬＲ／ＨＳＳ  １３０の中に保持されることもある。ＨＬＲ／ＨＳＳ  １３０に記憶される他のデータの例は、加入者が、要求されており、または与えられているサービスを示す情報と、加入者がパケット・サービスにアクセスすることを可能にするＧＰＲＳ設定と、加入者の現在のロケーション（ＶＬＲまたはＳＧＳＮ）と、おのおのの関連するＭＳＩＳＤＮについて適用可能なコール迂回設定などとを含む。ＨＬＲ／ＨＳＳ  １３０は、ワイヤレス通信システム１００における要素からのＭＡＰトランザクションとメッセージとを、例えば、ローミングするユーザ機器１１０から受信されるロケーション・アップデート・メッセージまたはルーティング・エリア・アップデート・メッセージを受信し、また処理することもできる。
【００２２】
ＳＧＳＮ  １２５はまた、ネットワーク１２０に対する、またネットワーク１２０からのＳＭＳメッセージングをサポートするために使用され得るＳＭＳゲートウェイ（ＳＭＳ−ＧＷ）１４０に通信するように接続されることもある。例えば、ＳＧＳＮ  １２５と、ＳＭＳ−ＧＷ  １４０とは、ＧＰＲＳネットワークについて規定されるＭＡＰ１の規格もしくはプロトコル、ＭＡＰ２の規格もしくはプロトコル、またはＭＡＰ３の規格もしくはプロトコルを使用して、ＳＧＳＮ  １２５と、ＳＭＳ−ＧＷ  １４０との間でＧｄインターフェースによって通信することができる。ＳＧＳＮ  １２５のいくつかの実施形態は、非アクセス層（ＮＡＳ）信号送信を使用して、ＰＳドメインにおいてＳＭＳメッセージングをサポートすることができる。ＳＧＳＮ  １２５のこれらの実施形態は、それゆえに、ＧｄインターフェースによるＮＡＳ信号送信を使用してＳＭＳメッセージングを交換することができる。
【００２３】
図１に示されるワイヤレス通信システム１００は、ＳＧＳＮ  １２５に通信するように結合されるモバイル交換センタ（ＭＳＣ）１４５を含んでいる。例えば、ＭＳＣ  １４５と、ＳＧＳＮ  １２５とは、ＢＳＳＡＰ＋プロトコルを使用してＧｓインターフェースによって通信することができる。Ｇｓインターフェースの実施形態は、それがデータ転送を実行するときに、ページングと局の使用可能性とをサポートすることができる。例えば、ユーザ機器１１０が、ＧＰＲＳネットワークにアタッチされるときに、ＳＧＳＮ  １２５は、ユーザ機器１１０に関連するルーティング・エリア（ＲＡ：ｒｏｕｔｉｎｇ  ａｒｅａ）を追跡する。ＲＡは、より大きなロケーション・エリア（ＬＡ）の一部分とすることができる。ユーザ機器１１０が、ページングされるときに、この情報を使用して、ユーザ機器１１０を探索しながら、ネットワーク・リソースを節約する。ＭＳＣ  １４５のいくつかの実施形態は、ユーザ機器１１０とのエンド・ツー・エンド接続をセットアップし、または解放するために、コール中にモビリティおよびハンドオーバの要件を処理するために、また課金とリアル・タイムの事前に支払われたアカウントの監視とを担当するための機能を実施することができる。本開示の恩恵を受ける当業者なら、異なる名前を使用して、異なるコンテキストにおけるＭＳＣ  １４５を意味することができることを理解すべきである。
【００２４】
ビジター・ロケーション・レジスタ（ＶＬＲ）１５０を使用して、ＭＳＣ  １４５の管轄域へとローミングしている加入者のデータベースを記憶することができる。ネットワーク１００内の各基地局１０５は、１つのＶＬＲ  １５０によってサービスされる。ＶＬＲ  １５０に記憶されるデータは、ＨＬＲ／ＨＳＳ  １３０から受信されているか、またはユーザ機器１１０から収集されているかのいずれかである。いくつかの実施形態は、単一のエンティティにおいて、ＶＬＲ  １５０と、ＭＳＣ  １４５とを統合することができ、またはＶＬＲ  １５０は、独占使用権のあるインターフェースを経由して、ＭＳＣ  １４５とリンクされることもある。ＶＬＲ  １５０のいくつかの実施形態は、ユーザ機器１１０のＩＭＳＩを含む情報、認証データ、ユーザ機器１１０のＭＳＩＳＤＮ、ユーザ機器１１０がアクセスすることを許可されるサービスを示す情報、加入されるアクセス・ポイント（ＧＰＲＳ）、またはユーザ機器１１０のＨＬＲ／ＨＳＳアドレスを記憶することができる。ＶＬＲ  １５０と、ＭＳＣ  １４５とは、ワイヤレス通信システム１００のＣＳドメインの一部分である。ユーザ機器１１０は、それゆえに、ＣＳドメインにおいてＭＳＣ  １４５とＶＬＲ  １５０とに対するＣＳ接続を使用して、ＳＭＳサービスにアクセスすることができる。
【００２５】
本明細書において考察されるように、ＰＳドメインのＮＡＳを経由したＳＭＳサービスのサポートは、オプションであり、またそれゆえに「ＰＳだけにＳＭＳだけを加えたもの」の加入は、ＳＭＳサービスが、万一ＰＳドメインのＮＡＳを経由したＳＭＳがサポートされない場合に、ＣＳドメインを経由して提供されることを可能にすべきである。この場合には、ユーザ機器１１０は、それが、ＳＭＳサービスを要求しており、またユーザ機器１１０は、他のどのようなＣＳサービスについても登録することを意図しておらず、例えば、ユーザ機器１１０は、「ＳＭＳだけの」サービスを要求していることをワイヤレス通信システム１００に通知することができる。ユーザ機器１１０のいくつかの実施形態は、それゆえに、ＰＳサービスと、ＣＳサービスとについての組み合わされた要求を提供することができる。その組み合わされた要求は、ユーザ機器１１０が、ショート・メッセージ・サービス（ＳＭＳ）を要求するだけであるという表示を含んでいる。次いで、ユーザ機器１１０は、ＳＭＳサービスが、ＰＳドメインによってサポートされるか、またはＣＳドメインによってサポートされるかを示す応答を受信することができる。
【００２６】
ワイヤレス通信システム１００のいくつかの実施形態はまた、ワイヤレス通信システム１００が、ＰＳドメインのＮＡＳを経由してＳＭＳをサポートするかどうかと、ＳＭＳサービスが、ＳＧＳＮ  １２５によって提供されるか否かとをユーザ機器１１０に通知することもできる。ＳＭＳサービスが、ＳＧＳＮ  １２５によって提供される場合には、ＣＳ側の登録が、実行される必要はなく、またそのようにしてＣＳ接続の確立が、バイパスされる可能性があり、それによって、ユーザ機器１１０がＳＭＳだけのサービスを要求しており、またネットワークがＰＳ接続を使用してＳＭＳだけのサービスを提供することができるときに、価値のあるネットワーク・リソースを節約している。ＳＧＳＮ  １２５のいくつかの実施形態は、それゆえに、ユーザ機器１１０からＰＳサービスと、ＣＳサービスとについての組み合わされた要求を受信することもできる可能性がある。本明細書において考察されるように、組み合わされた要求は、要求がＳＭＳだけのサービスを求めたものであることを示す情報を含むことができる。次いで、ＳＧＳＮ  １２５は、ＨＬＲ／ＨＳＳ  １３０に信号で伝えて、ＳＧＳＮ  １２５がＳＭＳサービスをサポートすることをＨＬＲ／ＨＳＳ  １３０に通知することができ、またユーザ機器１１０からの組み合わされた要求が、ＳＭＳだけのサービスを求めたものであることを示している。次いで、ＨＬＲ／ＨＳＳ  １３０は、ユーザ・プロファイル１３５内の情報を使用して、ＰＳドメインが、ＳＭＳサービスをサポートするかどうかと、ユーザ機器１１０が、ＰＳドメインにおけるＳＭＳサービスに対して資格があるかどうかを決定することができる。次いで、ＳＧＳＮ  １２５は、ＳＭＳサービスが、ＰＳドメインまたはＣＳドメインを経由して使用可能であるかどうかを示す応答をＨＬＲ／ＨＳＳ  １３０から受信することができる。
【００２７】
図２は、ＳＭＳだけのメッセージングの方法２００についての第１の例示の実施形態を概念的に示すものである。例証された実施形態においては、ユーザ機器（ＵＥ）は、２０５において、サービスのための要求をＳＧＳＮに対して提供する。例えば、ＵＥは、（２０５において）、アタッチ・タイプが、組み合わされたＧＰＲＳサービスと、非−ＧＰＲＳサービスとの要求であり、その結果、ＵＥは、ＰＳサービスと、ＣＳサービスとを要求していることを示す情報を含むアタッチ要求（ＡＴＴＡＣＨ  ＲＥＱＵＥＳＴ）を提供することができる。アタッチされた要求（ＡＴＴＡＣＨＥＤ  ＲＥＱＵＥＳＴ）は、ＵＥが、最初にワイヤレス通信システムにアタッチするときに送信されることもある。別の例では、ＵＥは、（２０５において）、アタッチ・タイプが、組み合わされたＧＰＲＳサービスと、非−ＧＰＲＳサービスとの要求であり、その結果ＵＥは、ＰＳサービスと、ＣＳサービスとを要求していることを示す情報を含むルーティング・エリア・アップデート要求（ＲＯＵＴＩＮＧ  ＡＲＥＡ  ＵＰＤＡＴＥ  ＲＥＱＵＥＳＴ）を提供することができる。ルーティング・エリア・アップデート要求は、ＵＥが、ＳＧＳＮによってサービスされるロケーション・エリアまたはルーティング・エリアへとローミングするときに送信される可能性がある。アタッチ要求またはルーティング・エリア・アップデート要求は、ＵＥが、「ＳＭＳだけの」サービスを要求しているか否かを示す追加のパラメータを含んでいる。このパラメータは、ＵＥが、例証された実施形態においてＳＭＳだけのサービスを要求していることを示すように設定される。
【００２８】
次いで、ＳＧＳＮは、ＨＬＲ／ＨＳＳに対するアップデート・ロケーション・プロシージャ２１０を開始することができる。例証された実施形態においては、ＳＧＳＮは、（２１５において）、ＳＧＳＮがＳＧＳＮにおいてＳＭＳをサポートし、またＵＥがＳＭＳだけのサービスを要求していることを示す信号を送信する。ＨＬＲ／ＨＳＳはまた、ＳＧＳＮにおいてＳＭＳをサポートし、そのようにしてＨＬＲ／ＨＳＳは、（２２０において）、ＳＧＳＮにおけるＳＭＳがサポートされることを信号で伝えることにより、ＳＧＳＮに対して応答する。（２２０における）応答のいくつかの実施形態は、ＳＭＳ加入データなど、ＵＥの加入情報を示す情報を含むことができる。例えば、ＨＬＲ／ＨＳＳは、図１に示されるユーザ・プロファイル１３５などのデータベースからこの情報を取り出すことができる。ＳＭＳだけのサービスが、ＰＳドメインによってサポートされるので、ＳＧＳＮは、破線のボックス２２５によって示されるように、ＭＳＣ／ＶＬＲとのＣＳ接続の確立をバイパスすることができる。例えば、ＳＧＳＮは、ＶＬＲに向かって非−ＧＰＲＳサービスについてのロケーション・アップデートを実行しないこともあり、またＳＧＳＮと、ＭＳＣ／ＶＬＲとの間のＧｓ関連付けは、確立されないこともある。次いで、ＳＧＳＮは、（２３０において）、ＰＳドメインのＮＡＳを経由したＳＭＳが、ＳＧＳＮによってサポートされることをＵＥに信号で伝えることができる。例えば、ＳＧＳＮは、２３０においてアタッチ受入メッセージを送信することができる。
【００２９】
図３は、ＳＭＳだけのメッセージングの方法３００の第２の例示の一実施形態を概念的に示すものである。例証された実施形態においては、ユーザ機器（ＵＥ）は、３０５においてサービスについての要求をＳＧＳＮに対して提供する。例えば、ＵＥは、（３０５において）、アタッチ・タイプが、組み合わされたＧＰＲＳサービスと、非−ＧＰＲＳサービスとの要求であり、その結果、ＵＥが、ＰＳサービスと、ＣＳサービスとを要求していることを示す情報を含むアタッチ要求を提供することができる。アタッチ要求は、ＵＥが、最初にワイヤレス通信システムにアタッチするときに送信される可能性がある。別の例では、ＵＥは、（３０５において）、アタッチ・タイプが、組み合わされたＧＰＲＳサービスと、非−ＧＰＲＳサービスとの要求であり、その結果、ＵＥが、ＰＳサービスと、ＣＳサービスとを要求していることを示す情報を含むルーティング・エリア・アップデート要求を提供することができる。ルーティング・エリア・アップデート要求は、ＵＥが、ＳＧＳＮによってサービスされるロケーション・エリアまたはルーティング・エリアへとローミングするときに送信される可能性がある。アタッチ要求またはルーティング・エリア・アップデート要求は、ＵＥが、「ＳＭＳだけの」サービスを要求しているか否かを示す追加のパラメータを含んでいる。このパラメータは、例証された実施形態においてＵＥがＳＭＳだけのサービスを要求していることを示すように設定される。
【００３０】
第２の例示の実施形態においては、ＳＧＳＮは、ＰＳドメインのＮＡＳを経由してＳＭＳをサポートしてはいない。ＳＧＳＮは、それゆえに、ＳＧＳＮがＰＳドメインのＮＡＳを経由してＳＭＳをサポートしておらず、またＵＥがＳＭＳだけのサービスを要求していることを示す信号を（３１５において）送信することにより、アップデート・ロケーション・プロシージャ３１０をＨＬＲ／ＨＳＳに対して開始することができる。ＨＬＲ／ＨＳＳは、（３２０において）、ＳＧＳＮにおけるＳＭＳが、サポートされないことを信号で伝えることにより、ＳＧＳＮに対して応答する。（３２０における）応答についてのいくつかの実施形態は、ＳＭＳ加入データなど、ＵＥの加入情報を示す情報を含むことができる。例えば、ＨＬＲ／ＨＳＳは、図１に示されるユーザ・プロファイル１３５などのデータベースからこの情報を取り出すことができる。ＳＭＳだけのサービスは、ＰＳドメインによってサポートされないので、ＳＧＳＮは、（３２５において）、ボックス３２５によって示されるように、ＭＳＣ／ＶＬＲとのＣＳ接続を確立する。例えば、ＳＧＳＮは、ＶＬＲに向かって非−ＧＰＲＳサービスについてのロケーション・アップデートを実行することができ、また（３２５において）、ＳＧＳＮと、ＭＳＣ／ＶＬＲとの間のＧｓ関連付けを確立することができる。次いで、ＳＧＳＮは、ＣＳドメインを経由したＳＭＳが、ＳＭＳだけのサービスのために提供されることをＵＥに（３３０において）信号で伝えることができる。例えば、ＳＧＳＮは、３３０においてアタッチ受入メッセージを送信することができる。
【００３１】
図４は、ＳＭＳだけのメッセージングの方法４００の第３の例示の実施形態を概念的に示すものである。例証された実施形態においては、ユーザ機器（ＵＥ）は、４０５において、サービスについての要求をＳＧＳＮに対して提供する。例えば、ＵＥは、（４０５において）、アタッチ・タイプが、組み合わされたＧＰＲＳサービスと、非−ＧＰＲＳサービスとの要求であり、その結果、ＵＥが、ＰＳサービスと、ＣＳサービスとを要求していることを示す情報を含むアタッチ要求を提供することができる。アタッチ要求は、ＵＥが、最初にワイヤレス通信システムにアタッチするときに送信される可能性がある。別の例では、ＵＥは、（４０５において）、アタッチ・タイプが、組み合わされたＧＰＲＳサービスと、非−ＧＰＲＳサービスとの要求であり、その結果、ＵＥが、ＰＳサービスと、ＣＳサービスとを要求していることを示す情報を含むルーティング・エリア・アップデート要求を提供することができる。ルーティング・エリア・アップデート要求は、ＵＥが、ＳＧＳＮによってサービスされるロケーション・エリアまたはルーティング・エリアへとローミングするときに送信される可能性がある。アタッチ要求またはルーティング・エリア・アップデート要求は、ＵＥが、「ＳＭＳだけの」サービスを要求しているか否かを示す追加のパラメータを含んでいる。このパラメータは、例証された実施形態においてＵＥがＳＭＳだけのサービスを要求していることを示すように設定される。
【００３２】
第３の例示の実施形態においては、ＳＧＳＮは、ＰＳドメインのＮＡＳを経由してＳＭＳをサポートする。ＳＧＳＮは、それゆえに、ＳＧＳＮがＰＳドメインのＮＡＳを経由してＳＭＳをサポートしており、またＵＥがＳＭＳだけのサービスを要求していることを示す信号を（４１５において）送信することにより、アップデート・ロケーション・プロシージャ４１０をＨＬＲ／ＨＳＳに対して開始することができる。しかしながら、第３の例示の実施形態においては、ＨＬＲ／ＨＳＳは、（４２０において）、例えば、図１に示されるユーザ・プロファイル１３５のうちの１つなど、対応するユーザ・プロファイルにおいて示されるように、ＰＳドメインのＮＡＳを経由したＳＭＳについて認可されていないことを決定する。ＨＬＲ／ＨＳＳは、（４２５において）、ＵＥが、ＰＳドメインのＮＡＳを経由してＳＭＳに加入していないことを信号で伝えることにより、ＳＧＳＮに応答する。（４２５における）応答のいくつかの実施形態は、ＵＥの加入情報を示す情報を含むことができる。ＵＥは、ＰＳドメインを経由してＳＭＳに加入していないので、ＳＧＳＮは、（４３０において）、ＭＳＣ／ＶＬＲとのＣＳ接続を確立する。例えば、ＳＧＳＮは、ＶＬＲに向かって非−ＧＰＲＳサービスについてのロケーション・アップデートを実行することができ、また（４３０において）、ＳＧＳＮと、ＭＳＣ／ＶＬＲとの間のＧｓ関連付けを確立することができる。次いで、ＳＧＳＮは、ＣＳドメインを経由したＳＭＳが、ＳＭＳだけのサービスのために提供されることをＵＥに（４３５において）信号で伝えることができる。例えば、ＳＧＳＮは、４３５においてアタッチ受入メッセージを送信することができる。
【００３３】
いくつかの実施形態によるアタッチ要求メッセージの例示の一実施形態が、以下で示されている。
【００３４】
【表１】
2015518321.tif 000003
【００３５】
追加のアップデート・タイプ・パラメータの例示の一実施形態は、以下のように符号化される可能性がある。
【００３６】
【表２】
2015518321.tif 000004
【００３７】
【表３】
2015518321.tif 000005
【００３８】
いくつかの実施形態によるルーティング・エリア・アップデート要求メッセージの例示の一実施形態が、以下で示されている。
【００３９】
【表４】
2015518321.tif 000006
【００４０】
追加のアップデート・タイプ・パラメータは、本明細書において考察されるように符号化される可能性がある。
【００４１】
図５は、ＰＳサービスと、ＣＳサービスとについての組み合わされた要求をサポートしていないシステムにおいて、ＳＭＳだけの要求を処理する方法５００の例示の一実施形態を概念的に示すものである。例えば、組み合わされたアタッチ・プロシージャまたはルーティング・エリア・アップデート・プロシージャは、第１のネットワーク・モードのオペレーション（ＮＭＯ−Ｉ）において動作しているＧＰＲＳネットワークによってサポートされる。しかしながら、ＮＭＯ−ＩＩまたはＮＭＯ−ＩＩＩにおいて動作しているＧＰＲＳネットワークは、ＰＳサービスと、ＣＳサービスとについての組み合わされた要求をサポートしていない。ＳＭＳだけのサービスを要求しているユーザ機器は、それゆえに、ＰＳサービスについて登録することができ、またＳＭＳだけのサービスについての要求を示す情報を、要求の中に含んでいる。次いで、ＣＳサービスについての登録が、オプションとしてネットワークから受信される応答に応じて実行されることもある。
【００４２】
例証された実施形態においては、ユーザ機器は、（５０５において）、ＰＳドメインにおいて、アタッチまたはルーティング・エリア・アップデートを実行する。例えば、ユーザ機器は、最初に、アタッチ要求またはルーティング・エリア・アップデート要求を経由してＰＳネットワークに対する登録を（５０５において）実行し、また次いで、ＳＭＳサービスが、ＳＧＳＮによってサポートされ得るかどうかを決定することができる。ユーザ機器が、ＳＭＳサービスが、ＳＧＳＮによってサポートされることを示す情報を（５１０において）受信する場合、ユーザ機器は、ロケーション・エリア・アップデートをＣＳドメインに対して送信することを（５１５において）バイパスすることができる。ＣＳドメインにおける登録は、それゆえにスキップされる可能性がある。ユーザ機器が、ＳＭＳサービスが、ＳＧＳＮによってサポートされないことを示す情報を（５１０において）受信する場合には、ユーザ機器は、ロケーション・エリア・アップデートを実行して、ＣＳドメインにおいて登録を要求する。次いで、ユーザ機器は、ＣＳドメインにおいて登録することができ、その結果、ＳＭＳサービスは、本明細書において考察されるように、ＭＳＣ／ＶＬＲを経由してＣＳドメインによって提供される可能性もある。例えば、ＧＰＲＳ  ＵＥが、アタッチ受入メッセージまたはルーティング・エリア・アップデート受入メッセージの中で、ＧＰＲＳを経由したＳＭＳが、サポートされるという表示を受信する場合、そのときにはＧＰＲＳ  ＵＥは、サポートされないＧＰＲＳまたはＧＰＲＳ  ＵＥを経由したＳＭＳを示す新しいアタッチ受入メッセージまたはルーティング・エリア・アップデート受入メッセージが、ＧＰＲＳサービスとＳＭＳだけのサービスとについてだけアタッチされるＩＭＳＩであることを望まなくなるまで、ＣＳドメイン特有のプロシージャを実行すべきではない。
【００４３】
開示された主題の一部分と、対応する詳細な説明とは、コンピュータ・メモリの内部のデータ・ビットに対するオペレーションについてのソフトウェア、またはアルゴリズムおよびシンボリック表現の観点から提示される。これらの説明および表現は、それらによって当業者が、他の当業者に対して彼らの仕事の本質を効果的に伝える説明または表現である。アルゴリズムは、その用語がここで使用されるように、またそれが一般に使用されるように、望ましい結果をもたらすステップの自己矛盾のないシーケンスであるように考えられる。それらのステップは、物理量の物理的操作を必要とするこれらのステップである。通常、必ずしもそうであるとは限らないが、これらの量は、記憶され、転送され、結合され、比較され、またそうでなければ操作される可能性がある光学的信号、電気信号、または磁気信号の形態をとる。これらの信号をビット、値、要素、シンボル、キャラクタ、項、数字などとして言及することは、主として共通使用の理由のために、時として便利であることが分かってきている。
【００４４】
しかしながら、これらの用語および類似した用語のすべては、適切な物理量に関連付けられるべきであり、またこれらの量に適用される単に便利なラベルにすぎないことを心に留めるべきである。具体的に、その他の方法で述べられない限り、または考察から明らかであるように、「処理すること」、「計算すること」、「算出すること」、「決定すること」、または「表示すること」などの用語は、コンピュータ・システムのメモリもしくはレジスタまたは他のそのような情報ストレージ、送信デバイス、あるいはディスプレイ・デバイスの内部の物理量として同様に表される他のデータへと、コンピュータ・システムのレジスタおよびメモリの内部の物理量、電子量として表されるデータを操作し、また変換するコンピュータ・システム、または類似した電子コンピューティング・デバイスのアクションおよびプロセスのことを意味している。
【００４５】
また、開示された主題のソフトウェア実施された態様が、一般的に、何らかの形態のプログラム・ストレージ媒体によって符号化され、または何らかのタイプの伝送媒体によって実施されることにも注意すべきである。プログラム・ストレージ媒体は、磁気的（例えば、フロッピー・ディスクまたはハード・ドライブ）あるいは光学的（例えば、コンパクト・ディスク・リード・オンリー・メモリ、または「ＣＤ  ＲＯＭ」）とすることができ、またリード・オンリーまたはランダム・アクセスとすることができる。同様に、伝送媒体は、ツイスト・ペア線、同軸ケーブル、光ファイバ、または当技術分野に知られている他の適切な伝送媒体とすることができる。開示された主題は、与えられた任意の実装形態についてのこれらの態様によって制限されない。
【００４６】
上記で開示される特定の実施形態は、開示される主題が、本明細書における教示の恩恵を受ける当業者にとって明らかな、異なるが同等なやり方で修正され、また実行される可能性があるので、例証的なものにすぎない。さらに、添付の特許請求の範囲において説明される以外には、どのような限定も、本明細書において示される構造または設計の詳細に対して意図されない。それゆえに、上記で開示される特定の実施形態は、変更され、または修正されることもあり、またすべてのそのような変形形態は、開示された主題の範囲内にあるように考えられることが、明らかである。それに応じて、本明細書において要求される保護は、添付の特許請求の範囲において説明されるようなものである。
【図１】
2015518321.tif 000007
【図２】
2015518321.tif 000008
【図３】
2015518321.tif 000009
【図４】
2015518321.tif 000010
【図５】
2015518321.tif 000011
【国際調査報告】
2015518321.tif 000012
2015518321.tif 000013
2015518321.tif 000014